(57)【要約】      （修正有）【課題】次亜塩素酸水による空気中のウィルス、細菌、臭気物質、浮遊物質の除去を安定的に実施できる空気浄化装置を提供する。【解決手段】吸気装置の排気口上部に空気洗浄塔３を設け、空気洗浄塔に付随した薬液槽４に次亜塩素酸水を入れ、空気洗浄塔に次亜塩素酸水を循環させることによって空気の浄化を図ると共に、排出口２から室内に浄化された空気を提供する。使用する次亜塩素酸水は、空気洗浄装置循環配管１３に電気分解式次亜塩素酸水発生器６を設けることで生成を行い、負荷に合わせて発生濃度を変更する。さらに、循環配管に電気分解式次亜塩素酸水発生器を設けることで、浮遊物質、臭気物質、ウィルス、細菌の分解・浄化を促進する。【選択図】図１
0003228925.tif 000002
【実用新案登録請求の範囲】
【請求項１】
吸気装置の排気口にスクラバー（空気洗浄塔）を設け、当該スクラバー（空気洗浄塔）に付随した薬液槽には空気の洗浄薬液を入れ、当該スクラバー（空気洗浄塔）に薬液を循環し、空気と接触させることによって空気中のウィルス、細菌、臭気物質、浮遊物質の除去を図ると共に、室内に浄化された空気を提供する。若しくは、スクラバー（空気洗浄塔）出口配管を屋外に延長して排出することを可能とする構造を特徴とする空気洗浄装置。
【請求項２】
当該空気洗浄装置内の吸入空気出口に散気管を設け、洗浄液内で放出することによって洗浄効率を向上させる構造を持つ空気洗浄装置。
【請求項３】
当該空気洗浄装置に電気分解式次亜塩素酸水発生器を設け、生成された次亜塩素酸水を当該空気洗浄塔に循環させることによって空気中のウィルス、細菌、臭気物質、浮遊物質の除去を図ることを特徴とする空気洗浄装置。
【請求項４】
当該空気洗浄装置の循環配管に電気分解式次亜塩素酸水発生器を設け、電気分解式次亜塩素酸水発生器を通過中に臭気物質、ウィルス、細菌を分解・浄化することを特徴とする空気洗浄装置。電気分解式次亜塩素酸水発生器は、電流値、溶液の塩濃度および電気分解時間を調整することで分解性能を変更できる構造である。
【考案の詳細な説明】
【技術分野】
【０００１】  本考案は、吸気装置の排気口に洗浄塔を設けた、空気洗浄装置に関するものである。【０００２】  本考案は、当該空気洗浄装置に電気分解式次亜塩素酸水発生装置を設けた、空気洗浄装置に関するものである。【０００３】  本考案は、当該装置薬液槽内吸入空気出口に散気管を設けた、空気洗浄装置に関するものである。
【背景技術】
【０００４】  スクラバー（空気洗浄塔）内部で空気と薬剤を接触することによって浄化させる方法および次亜塩素酸水をフィルター部材へ供給、通気させることで次亜塩素酸水と空気を接触させる方法で、空気中の細菌、ウィルス、臭気物質の除去を行う空気浄化装置がすでに提案されている。
【先行技術文献】
【特許文献】
【０００５】
【特許文献１】特表２００４−５２６９３１  公表特許公報（Ａ）
【特許文献２】特開２０１２−０５２６９９号公報
【特許文献２】特開２０２０−４９０３１  公開特許公報（Ａ）
【考案の概要】
【考案が解決しようとする課題】
【０００６】  従来型の空気浄化装置においては、次亜塩素酸水の使用濃度に除去性能は左右される。しかし、次亜塩素酸水等の濃度を高くすれば、気化した次塩素酸により安全性や金属等の腐食の問題が生ずることになる。従って、空気中の浮遊物質、臭気物質、ウィルス、細菌の除去性能には限界があった。さらに、空気の汚染状況によっては次亜塩素酸水の劣化は著しく、薬液やフィルターの更新をすることで洗浄効果を維持するなど管理が煩雑であった。【０００７】  そこで、本考案は、空気中のウィルス、細菌、臭気物質、浮遊物質の除去を安定的に実施できる空気浄化装置を提供することで、室内での安全な生活及び活動が可能となり前述の欠点を解決しようとするものである。
【課題を解決するための手段】
【０００８】  本考案は、吸気装置の排気口にスクラバー（空気洗浄塔）を設け、当該空気洗浄塔に付随した洗浄液槽には室内空気の洗浄薬液を入れ、当該空気洗浄塔に薬液を循環させることによって空気の浄化を図ると共に、室内に浄化された空気を返送することにより問題点を解決している。【０００９】  洗浄液の安定的補充・更新に関しては、空気洗浄装置に電気分解式次亜塩素酸水発生器を設け、次亜塩素酸水を生成することにより問題点を解決している。【００１０】  電気分解式次亜塩素酸水発生器の設置場所を循環配管の一部として設けることで、吸入空気から洗浄液に洗い出された洗浄液中のウィルス、細菌、臭気物質、浮遊物質を分解・浄化することにより問題点を解決している。【００１１】  次亜塩素酸水の濃度を高くすることで生じる次亜塩素酸の気化による人体への安全性や金属の腐食に関しては、電気分解式次亜塩素酸水発生器内でウィルス等を分解・浄化できる能力があることから、次亜塩素酸水発生を制御し、濃度を調整することで問題点を解決している。
【考案の効果】
【００１２】  上述の様に、本考案の当該空気洗浄装置は室内空気を吸気し、吸入した空気を洗浄塔において洗浄後放出することで、浄化された空気が供給できる。しかも室内空気を循環する方式をとった場合には、大がかりなダクト工事を不要とするとともに、必要な場所への移動を可能とすることができ、空気の浄化された室内での生活及び活動に役立つ。【００１３】  本考案の空気洗浄装置は電気分解式次亜塩素酸水発生器を設けたことで、安定的に次亜塩素酸水を供給でき、当該装置に吸気した空気中のウィルス、細菌、臭気物質等を除去することができる。さらに、循環配管に電気分解式次亜塩素酸水発生器を設けることで、これらのウィルス、細菌、臭気物質等を分解や除去できる。電気分解式次亜塩素酸水発生器は、電流値、溶液の塩濃度および電気分解時間を調整することで分解性能を変更できる構造である。
【図面の簡単な説明】
【００１４】
【図１】本考案の空気洗浄装置の実施例を示す正面図である。
【考案を実施するための形態】
【００１５】空気洗浄装置本体の薬液槽上部に洗浄塔を設置し、吸気した空気出口に散気管を設け薬液内に送気したのち、洗浄塔下部より進入させ、上部より次亜塩素酸水を噴霧し空気を洗浄後放出させることで吸入空気の洗浄が可能となる。洗浄塔には空気洗浄効率を向上させるために内部にラシヒリング等を充填することで接触効率を上げるものである。
【００１６】洗浄液に使用する次亜塩素酸水は、電気分解式次亜塩素酸水発生器を循環ポンプ上流側の循環配管に設けることによって薬液の供給をするとともに洗い出された室内空気中のウィルス、細菌、臭気物質の分解・除去を行うものである。
【実施例】
【００１７】以下、添付図面に従って一実施例を説明する。ここで図１を参照すると、この装置は、周囲空気の取入口１と、浄化空気の排出口２と、スクラバー（空気洗浄塔）３である洗浄コアと、薬液槽４から循環させるポンプ５を用いて電気分解式次亜塩素酸水発生器６へ供給し、スクラビング液として次亜塩素酸水を生成し、スクラバー（空気洗浄塔）３最上部へ供給する。【００１８】  空気の洗浄は、スクラバー（空気洗浄塔）３の最上部からスクラビング液の微細液滴噴霧を発生させ、その中に下方部分から空気が流入する。スクラバー（空気洗浄塔）３で表される領域内には、好適に設計された充填物９が満たされており、その場所に空気と液体スクラビング液との向流接触が形成されて洗浄・除去される。【００１９】  空気を当該空気洗浄装置に引き込み、空気を装置内に流し、浄化空気を装置から放出するためのブロワ７を含む。装置内に引き込んだ空気は、微細な泡として薬液内に挿入放出することで洗浄効率を向上させる散気管１２を装着する。スクラバー（空気洗浄塔）は、図面には示していないが、充填カラムの通常運転条件下で最終的に発生することのある液滴の一部又は全体を保持するために、デミスタをさらに含むことができる。【００２０】  薬液槽４には、液体供給口８を介して水を供給し、粉体供給口１０を介して塩を供給して電気分解式次亜塩素酸水発生器６にて次亜塩素酸水を生成する。【００２１】  また、目的除去成分に合わせて使用可能なスクラビング液を供給してもよいし、別個に、液体供給口８を介して液体溶媒、好ましくは水を供給し、粉体供給口１０を介して他の成分とさらなる任意添加剤とを供給してもよい。【００２２】  電気分解式次亜塩素酸水発生器６を循環配管１３中に設けることで、洗い出されたウィルス、細菌、臭気物質の分解・除去を可能としている。電気分解式次亜塩素酸水発生器は、電流値、溶液の塩濃度および電気分解時間を調整することで分解性能を変更できる構造である。
【産業上の利用可能性】
【００２３】  家庭、店舗、医療、公共の空間などの、除菌・脱臭など目的とした装置としての活用が期待されるものである。
【符号の説明】
【００２４】１    周囲空気の取入口
２    浄化空気の排出口
３    空気洗浄塔（充填カラム・スクラバー）
４    薬液槽
５    薬液循環ポンプ
６    電気分解式次亜塩素酸水発生器
７    ブロワ
８    液体供給口
９    充填物
１０  粉体供給口
１１  ドレン配管
１２  散気管
１３  循環配管
【図１】
0003228925.tif 000003
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
吸気装置の排気口にスクラバー（空気洗浄塔）を設け、当該スクラバー（空気洗浄塔）に付随した薬液槽には空気の洗浄薬液を入れ、当該スクラバー（空気洗浄塔）に薬液を循環し、空気と接触させることによって空気中のウィルス、細菌、臭気物質、浮遊物質の除去を可能とすると共に、浄化された空気を室内に提供、若しくは、スクラバー（空気洗浄塔）出口配管を屋外に延長して排出する構造を特徴とする空気洗浄装置。
【請求項２】
空気洗浄装置内の吸入空気出口に散気管を設け、洗浄薬液内で放出することによって洗浄効率を向上させる構造を持つことを特徴とする請求項１に記載の空気洗浄装置。  
【請求項３】
空気洗浄装置に電気分解式次亜塩素酸水発生器を設け、生成された次亜塩素酸水を当該空気洗浄塔に循環させることによって空気中のウィルス、細菌、臭気物質、浮遊物質の除去を図ることを特徴とする請求項１に記載の空気洗浄装置。
【請求項４】
空気洗浄装置の循環配管に電気分解式次亜塩素酸水発生器を設け、前記に記載の洗浄薬液が電気分解式次亜塩素酸水発生器を通過中に、当該洗浄薬液に洗い出された臭気物質、ウィルス、細菌を分解・浄化することを特徴とし、当該電気分解式次亜塩素酸水発生器は、電流値、溶液の塩濃度および電気分解時間を調整することで分解性能を変更できる構造であることを特徴とする請求項１に記載の空気洗浄装置。